(57)【特許請求の範囲】
【請求項１】
入力及び出力を有する増幅器と、第１の極板及び第２の極板を有するコンデンサとを含み、該コンデンサの前記第２の極板は前記増幅器の入力に接続され、前記第１の極板は当該増幅回路の入力電圧に接続され、平均電流ｉｅは前記コンデンサを通って流れ、前記増幅器は入力電流として電流Ｉａを有する増幅回路であって、
電流Ｉａがいかなる値であっても、前記コンデンサを通って流れる前記平均電流ｉｅを略ゼロに等しくさせる電流Ｉｇを、前記コンデンサの前記第２の極板において供給する手段であって、前記電流Ｉｇを供給する少なくとも１つの電流発生器と、ｉｅ＝Ｉａ−Ｉｇが成り立つよう前記平均電流ｉｅに対応する電圧を測定する測定装置とを有する手段と、
第１の時間期間の間は前記測定装置が前記平均電流ｉｅに対応する電圧を測定することを可能にし、第２の時間期間の間は前記電流発生器が以前に測定された平均電流ｉｅの関数としての前記電流Ｉｇを発生することを可能にするスイッチと
を有することを特徴とする増幅回路。
【請求項２】
第１の電流発生器は、ｐｎｐ型のトランジスタＴ１と、第１の端子及び第２の端子を有する抵抗器Ｒ１と、第１の端子及び第２の端子を有する抵抗器Ｒ２と、ダイオードＤ１とを含み、前記トランジスタＴ１のエミッタはその第２の端子が前記増幅器の正の供給電圧＋ＶＡに接続されている前記抵抗器Ｒ１の第１の端子に接続されており、前記トランジスタＴ１のベースはその陽極が前記抵抗器Ｒ２の第１の端子に接続されている前記ダイオードＤ１の陰極に接続され、前記抵抗器Ｒ２の第２の端子は前記電圧＋ＶＡに接続されており、前記トランジスタＴ１のコレクタは前記増幅器の入力に接続されており、
第２の電流発生器は、ｎｐｎ型のトランジスタＴ２と、第１の端子及び第２の端子を有する抵抗器Ｒ３と、第１の端子及び第２の端子を有する抵抗器Ｒ４と、ダイオードＤ２とを含み、前記トランジスタＴ２のエミッタはその第２の端子が前記増幅器の負の供給電圧−ＶＡに接続されている前記抵抗器Ｒ３の第１の端子に接続されており、前記トランジスタＴ２のベースはその陰極が前記抵抗器Ｒ４の第１の端子に接続されている前記ダイオードＤ２の陽極に接続され、前記抵抗器Ｒ４の第２の端子は前記電圧−ＶＡに接続されていることを特徴とする請求項１記載の増幅回路。
【請求項３】
前記測定装置は、正の入力ｅ（＋）及び負の入力ｅ（−）を有する差動増幅器と、第１の端子及び第２の端子を有する抵抗器Ｒｇと、第１の端子及び第２の端子を有するコンデンサＣｇと、ｎｐｎ型のトランジスタＴ３と、ｐｎｐ型のトランジスタＴ４と、第１の端子及び第２の端子を有する抵抗器Ｒ５とを含み、前記正の入力ｅ（＋）は当該回路のアースに接続されており、前記負の入力ｅ（−）はコンデンサＣｇの第１の端子及び前記抵抗器Ｒｇの第１の端子に接続されており、前記コンデンサＣｇの第２の端子及び前記抵抗器Ｒｇの第２の端子は共にその第２の端子が当該回路のアースに接続されている前記抵抗器Ｒ５の第１の端子に接続されており、前記差動増幅器の出力はそのエミッタが前記抵抗器Ｒ５の第１の端子に接続されている前記トランジスタＴ３及びＴ４のベースに接続されており、前記トランジスタＴ３のコレクタは前記トランジスタＴ１のベースに接続されており、前記トランジスタＴ４のコレクタは前記トランジスタＴ２のベースに接続されていることを特徴とする請求項２記載の増幅回路。
【請求項４】
前記測定装置は、正の入力ｅ（＋）及び負の入力ｅ（−）を有する差動増幅器と、第１の端子及び第２の端子を有する抵抗器Ｒｇと、第１の端子及び第２の端子を有するコンデンサＣｇと、背中合わせに設けられ第１の端子及び第２の端子を有する双極子を構成する２つのダイオード（Ｄ３，Ｄ４）の組合せと、ｎｐｎ型のトランジスタＴ３と、ｐｎｐ型のトランジスタＴ４と、第１の端子及び第２の端子を有する抵抗器Ｒ５とを含み、前記正の入力ｅ（＋）は当該回路のアースに接続されており、前記負の入力ｅ（−）は前記コンデンサＣｇの第１の端子及び前記抵抗器Ｒｇの第１の端子に接続されており、前記コンデンサＣｇの第２の端子及び前記抵抗器Ｒｇの第２の端子は共にその第２の端子が前記トランジスタＴ３及びＴ４のベースに接続されている前記双極子の第１の端子に接続されており、前記差動増幅器の出力はそのエミッタが前記抵抗器Ｒ５の第１の端子に接続されている前記トランジスタＴ３及びＴ４のベースに接続されており、前記トランジスタＴ３のコレクタは前記トランジスタＴ１のベースに接続されており、前記トランジスタＴ４のコレクタは前記トランジスタＴ２のベースに接続されていることを特徴とする請求項２記載の増幅回路。
【請求項５】
前記スイッチは、第１の端子及び第２の端子を有し、
前記スイッチの第１の端子は前記増幅器の入力に接続され、
前記スイッチの第２の端子は前記差動増幅器の負の入力ｅ（−）に接続されることを特徴とする請求項３又は４記載の増幅回路。
【請求項６】
前記増幅器の出力と、前記差動増幅器の負の入力ｅ（−）との間に配置された抵抗器Ｒｉを含むことを特徴とする請求項３又４記載の増幅回路。
【請求項７】
前記差動増幅器の負の入力ｅ（−）と当該回路のアースとの間に配置されたコンデンサ（ＣＤ）を含むことを特徴とする請求項３乃至６のうちいずれか１項記載の増幅回路。
【請求項８】
請求項５乃至７のうちいずれか１項記載の増幅回路を含むことを特徴とする、ビデオ信号の直流成分を復元するための回路。
【請求項９】
請求項６又は７記載の増幅回路を含むことを特徴とする、電圧安定化回路。
【発明の詳細な説明】
【０００１】
【発明の属する技術分野】
本発明は増幅回路に関し、更に特定的にはその入力電流を補償する装置を含む増幅回路に関する。
本発明は更に特定的には、ビデオ信号の直流成分の復元の枠組みの中で説明される。
【０００２】
しかしながら以下において明らかであるように、本発明はまた例えば電圧の安定化といった他の適用に関する。
【０００３】
【従来の技術】
当業者によって既知であるように、画像センサの出力側に配置される処理回路は、画像センサによって供給されるビデオ信号の直流成分を送信しない。従ってビデオ信号の直流成分を復元する回路が必要である。
図１の回路図は、従来の技術によるビデオ信号の直流成分を復元する回路の原理を示す。
【０００４】
図１の回路は、一般的にクランプコンデンサと称されるコンデンサＣと、スイッチＫと、増幅器Ａ１とを含む。
スイッチＫは、その値が典型的に１００Ｓ以下であるオン抵抗Ｒonと、略無限値であるオフ抵抗とを有する。
ビデオ信号ＶＥは、その第２の極板が増幅器Ａ１の入力に接続されているコンデンサＣの第１の極板に供給される。スイッチＫの第１の端子はコンデンサＣの第２の極板と増幅器Ａ１の入力を接続する共通点に接続され、スイッチＫの第２の端子は回路のアースに接続される。当業者によって既知であるように、増幅器Ａ１の出力電圧ＶＳ１はゼロボルトであることが望ましい。
【０００５】
スイッチＫが閉じられると、コンデンサＣの第２の極板は、時定数τ＝Ｃ  ｘＲonを有する回路のアースに接地される。当業者によって既知であるように、スイッチＫは同期信号によって発生された制御パルスの作用によって閉じられる。
スイッチは、同期信号の立下りの後、帰線消去間隔の間の時間Τに亘って閉じられる。時間τは、時間Τよりもはるかに小さいよう、約３乃至４μ秒に調節される。スイッチＫが閉じられる瞬間に増幅器Ａ１上に存在する電位の値がいずれの値であろうと、増幅器Ａ１の入力電圧は夫々のラインにおいてアースにクランプされる。
【０００６】
２つの水平同期パルスの間に、コンデンサＣはバッテリとして作用し、その入力電流Ｉａを増幅器Ａ１に供給する。コンデンサＣの端子の間に現れる電圧の変化ΔＶC は、ＴL が２つの水平同期パルスを隔てる時間であり、ΔＱ＝Ｉａ  ｘＴL が成り立つとすると、以下の関係式：
ΔＶC ＝ΔＱ／Ｃ
によって表わされる。
【０００７】
従って、以下の関係式：
ΔＶC ＝ＴL   ｘ  Ｉａ／Ｃ
が成り立つ。
ΔＶC の値を最小化させるため、増幅器Ａ１は高い入力インピーダンスを有するよう選択される。このため電流Ｉａは小さくなり、ΔＶC は無視されうる。
【０００８】
このように、既知の従来の技術によれば、増幅器Ａ１の入力段は、１つ又は２つのジャンクション電界効果トランジスタ（ＪＦＥＴ）又は１つ又は２つのＭＯＦＳＥＴ型の電界効果トランジスタを使用することによって発せられ、ＪＦＥＴ及びＭＯＦＳＥＴトランジスタは略無限の入力インピーダンスを有する。
【０００９】
【発明が解決しようとする課題】
ＪＦＥＴ及びＭＯＦＳＥＴトランジスタの使用は、しかしながら多くの欠点を有する。
これは、ＪＦＥＴトランジスタが高価であることの他に、典型的には約３０ｍＡである高い消費を有し、その供給のために比較的高い値（典型的には＋１２ボルト乃至−１２ボルト）の電圧の形式を必要とするためである。
【００１０】
ＭＯＦＳＥＴトランジスタに関しては、それらが発生する雑音電圧密度は非常に高く、（Ｈｚ）1/2 当たり約２０乃至２５ｎＶであり、それによりこれらのトランジスタの専門的な適用に対する使用は妨げられる。
【００１１】
【課題を解決するための手段】
本発明はこのような欠点を有さない。
これは、本発明は、入力及び出力を有する増幅器と、第１の極板及び第２の極板を有するコンデンサからなり、コンデンサの第２の極板は増幅器の入力に接続され、コンデンサの第１の極板は増幅回路の入力電圧に接続されている増幅回路に関するためである。増幅回路は、増幅器の入力電流Ｉａがいかなる値でも、略ゼロのコンデンサを流れる平均電流ｉｅを形成する手段を含む。
【００１２】
略ゼロのコンデンサを流れる平均電流ｉｅを形成する手段は、少なくとも１つの電流発生器Ｉｇと、平均電流ｉｅ測定する装置からなり、それによりｉｅ＝Ｉａ−Ｉｇとなる。
【００１３】
【発明の実施の形態】
全ての図面において、全く同じ参照番号は同じ構成要素を表わす。図１は既に説明されており、従って更に説明する必要はない。
図２は、ビデオ信号の直流成分を復元する回路に適用される、本発明による増幅回路を簡単に示す図である。
【００１４】
本発明による増幅回路は、クランプコンデンサＣと、スイッチＫと、電流発生器１と、入力電流Ｉａを有する増幅器Ａ２と、コンデンサＣを流れる電流ｉｅの平均値を測定する手段２とを含む。本発明の望ましい実施例によれば、増幅器Ａ２の出力電圧ＶＳ２はゼロボルトである。
ビデオ信号ＶＥは、その第２の極板が増幅器Ａ２の入力と、スイッチＫの第１の端子と、電流発生器１の第１の端子とに接続されているコンデンサＣの第１の極板に接続される。スイッチＫの第２の端子は、その第２の端子が回路のアースに接続されている装置２の第１の端子に接続される。電流発生器の第２の端子は、回路のアースに接続される。
【００１５】
ｉｅがスイッチＫが開いている時間の間にコンデンサＣを充電又は放電する電流であるとすると、電流発生器１によって供給される電流Ｉｇは、ｉｅ＝Ｉａ−Ｉｇを満たす。
本発明の望ましい実施例によれば、電流ｉｅの値はゼロに近いように選択される。従って、電流Ｉｇの値は、電流Ｉａの値に非常に近い必要がある。
【００１６】
本発明によれば、スイッチＫが開いているとき、コンデンサＣは非常に小さな電流ｉｅによって充電される。従って、閉じられたスイッチＫを流れる電流はまた小さい電流である。有利なことに、増幅器Ａ２の入力電圧の変化は無視されうる。
電圧発生器１が出力せねばならない電流Ｉｇの値は、電流ｉｅの平均値の測定から計算される。電流ｉｅの計算は図３に詳細に示される。
【００１７】
図３は、本発明による望ましい実施例である、図２の簡単化された図を詳細に示す図である。
電流ｉｅの平均値を測定する装置は、その正及び負の入力が夫々ｅ（＋）及びｅ（−）によって示されている差動増幅器３と、抵抗器Ｒｇと、コンデンサＣｇと、トランジスタＴ３及びＴ４と、抵抗器Ｒ５とからなる。
【００１８】
トランジスタＴ３及びＴ４は夫々ｎｐｎ型及びｐｎｐ型のトランジスタであり、それらのベースは互いに接続され、差動増幅器３の出力に接続される。トランジスタＴ３のエミッタは、トランジスタＴ４のエミッタと、その第２の端子が回路のアースに接続されている抵抗器Ｒ５の第１の端子とに接続される。抵抗器Ｒ５の第１の端子はまた、一方ではその第２の端子が差動増幅器３の入力ｅ（−）に接続されている抵抗器Ｒｇの第１の端子に接続され、他方では、その第２の端子が入力ｅ（−）に接続されているコンデンサＣｇに接続される。
【００１９】
差動増幅器３はゼロのオフセット電圧を有することが望ましい。従って、入力ｅ（−）上に存在する平均電位はゼロとなる。
差動増幅器３は、その入力ｅ（−）がスイッチＫの第２の端子に接続され、その入力ｅ（＋）が回路のアースに接続されている。
図３は、電流Ｉａが増幅器Ａ２への電流入力である特別な場合に対応する。
【００２０】
概して、補償されるべき電流Ｉａは、増幅器Ａ２への電流入力であるか、又は増幅器Ａ２による電流出力である。
入力又は出力電流Ｉａを補償することが可能であるように、電流発生器は、電流ミラー型の２つの電流ソースからなる。
第１の電流ソースは、トランジスタＴ１と、抵抗器Ｒ１及びＲ２と、ダイオードＤ１とからなる。
【００２１】
第２の電流ソースは、トランジスタＴ２と、抵抗器Ｒ３及びＲ４と、ダイオードＤ２とからなる。
トランジスタＴ１及びＴ２のコレクタは互いに接続され、コンデンサＣの第２の極板と、増幅器Ａ２の入力とに接続される。
トランジスタＴ１のエミッタは、抵抗器Ｒ１を通じて増幅器Ａ２の電源の正の電圧＋ＶＡに接続される。
【００２２】
同様に、トランジスタＴ２のエミッタは、抵抗器Ｒ３を通じて増幅器Ａ２の電源の負の電圧−ＶＡに接続される。
トランジスタＴ３のコレクタは、そのベースがダイオードＤ１の陰極に接続されたトランジスタＴ１のベースに接続される。ダイオードＤ１の陽極はその第２の端子が電圧＋ＶＡに接続されている抵抗器Ｒ２の第１の端子に接続されている。
【００２３】
トランジスタＴ４のコレクタは、そのベースがダイオードＤ２の陽極に接続されたトランジスタＴ２のベースに接続される。ダイオードＤ２の陰極はその第２の端子が電圧−ＶＡに接続されている抵抗器Ｒ４の第１の端子に接続されている。
差動増幅器３と、トランジスタＴ３及びＴ４と、抵抗器Ｒｇと、コンデンサＣｇと、抵抗器Ｒ５とからなる組合せは、スイッチＫが閉じられているときに、スイッチＫを流れる平均電流の値を計算し、この値をトランジスタＴ３又はＴ４のコレクタ電流の値と比較し、この値は電流Ｉｇの値に近く、電流ミラー段の電流利得は単一であると仮定される。
【００２４】
従って、
（Ｉａ−Ｉｇ）Ｒｇ＝（Ｉｇ−ｉｅ）Ｒ５
が成り立ち、ここではＩａ−Ｉｇ＝ｉｅであるため、
Ｉｇ＝Ｉａ−ｉｅ
となる。
【００２５】
ゆえに、
ｉｅ＝Ｉａ／（（Ｒｇ／Ｒ５）＋２）
となる。
抵抗器Ｒｇは、差動増幅器３と共に略完全な積分器を形成するよう非常に高い値であるように選択されることが望ましい。
【００２６】
比率Ｒｇ／Ｒを、例えば１００である高い値で与えることにより、２つの水平同期パルスを隔離する時間ＴL の間にコンデンサＣを充電又は放電する電流ｉｅは、電流Ｉａよりも非常に小さな（選択された例では典型的には１００倍小さな）値を有する。
有利なことには、本発明による増幅回路は、その平均値が増幅器Ａ２の入力電流Ｉａよりも非常に小さい入力電流ｉｅを有する。
【００２７】
増幅器Ａ２の入力に現れる寄生電圧ΔＶ＝ｉｅ  ｘ  ＴL ／Ｃは、従って非常に小さい。
例えば、４０ｎＦのコンデンサＣで、２０μＡの電流Ｉａで、約１００のＲｇ／Ｒ５比率では、寄生電圧ΔＶの値は約０．３ｍＶである。
増幅器Ａ２は、例えばバイポーラ技術によって作られた電流フィードバック増幅器であることが望ましい。
【００２８】
有利なことに、例えば１５０ＭＨｚの値を有する閉ループの帯域幅は、増幅器の利得の値から独立であり、電流消費は低く、約５乃至１５ｍＡであり、供給電圧＋ＶＡ及び−ＶＡは、夫々＋５Ｖ及び−５Ｖの低い値を有する。
差動増幅器３の負の入力ｅ（−）をアースに接続するコンデンサＣＤは、周波数が増加したときに入力ｅ（−）の明らかなインピーダンスの増加を抑えるよう選択された値を有する。従って、増幅器３の入力ｅ（−）をダイナミックモードの際の実質上のアースと等しくするためには、コンデンサＣＤは、例えばコンデンサＣの値の１０倍以上の値を有さねばならない。
【００２９】
本発明の望ましい実施例によれば、出力電圧ＶＳ２はゼロボルトである。しかしながら、本発明は電圧ＶＳ２がゼロではない他の実施例にも関する。その場合差動増幅器３の入力ｅ（＋）は回路のアースには接続されていないが、電圧ＶＳ２が安定化されねばならない値を有する電圧ソースに接続される。
図４は、電圧安定回路に適用される、本発明による増幅器の詳細図を示す図である。
【００３０】
上述の増幅器Ａ２といった電流フィードバック増幅器からの電圧ＶＳ２は、入力電Ｉａ及び増幅器のオフセット電圧に対して同時に作用する補償回路を使用してゼロボルトへ安定化される。
図４の回路を構成する要素は、部分的には図３の要素と全く同じであり、部分的には図３に現れない新たな要素である。
【００３１】
図３の要素と全く同じ要素は、増幅器３及びＡ２と、コンデンサＣｇ及びＣＤと、抵抗器Ｒｇ，Ｒ１，Ｒ２，Ｒ３，Ｒ４及びＲ５と、トランジスタＴ１，Ｔ２，Ｔ３及びＴ４とである。これらの要素は図３と同様に接続されている。
新しい要素はコンデンサＣL と、抵抗器Ｒｉ及びＲＬとである。
抵抗器Ｒｉは増幅器Ａ２の出力を差動増幅器３の入力ｅ（−）に接続する。
【００３２】
当業者によって既知であるように、コンデンサＣL 及び抵抗器ＲＬは、例えば不必要に及び／又は異常に高い有用な信号に関する直流成分を除去するよう、増幅器Ａ２の入力側に配置される回路を形成する。このため、ビデオ信号ＶＥは、その第２の極板が増幅器Ａ２の入力に接続されているコンデンサＣL の第１の極板に供給され、抵抗器ＲＬはその第１の端子がコンデンサＣL の第２の極板に接続され、その第２の端子が回路のアースに接続されている。
【００３３】
図４に示される回路の明らかな入力電流は、ここでもまたｉｅとして示され、コンデンサＣL を流れる。図３に示される適用と同様に、電流ｉｅは抵抗器Ｒｇを通って流れ、電流ｉｅの計算は、以下の関係式：
ｉｅ＝Ｉａ／（（Ｒｇ／Ｒ５）＋２）
となる。
【００３４】
従って、上述のＩａ，Ｒｇ及びＲ５の値に対しては、電流ｉｅは非常に小さな電流となる。
本発明によれば、抵抗器ＲＬの値は、従来技術において同一の抵抗器が有する値よりもはるかに大きい。例えば、ＲＬの値は１００ｋΩでありうる。抵抗器Ｒｇ、Ｒｉ及びＲ５の値は夫々、１ＭΩ、１００ｋΩ及び１０ｋΩでありうる。
【００３５】
増幅器Ａ２のオフセット電圧の作用による出力電圧ＶＳ２の安定化は、抵抗器Ｒｉによって実行される。
本発明によれば、図４に示される回路のオフセット電圧は、以下の関係式：
Ｖoff ＝Ｒ５  ｘ  Ｉａ／［Ｒｇ／Ｒｉ］
によって表される。
【００３６】
有利なことに、Ｖoff の値は従って非常に小さい。
従来技術で既知の回路によるオフセット電圧に対する本発明によるオフセット電圧の比率Ｒａｐは、以下の関係式：
Ｒａｐ＝Ｒｉ  ｘ  Ｒ５／Ｒｇ  ｘ  ＲＬ
によって表される。
【００３７】
上述の数値に対しては、Ｒａｐ＝１％となる。
抵抗器ＲＬの抵抗の増加のため、従来技術の値と全く同じＣL の値に対して、本発明による素子ＲＬ及びＣL によって確立される接続の低カットオフ周波数は有利なことに、従来の技術による周波数よりも低い。
図４に説明されるループされたシステムが安定化されていることを確実にするために、以下の不等式：
【００３８】
【数１】
0004132157.tif 000002
【００３９】
が成り立つことが重要である。
図４に説明される本発明の望ましい実施例によれば、電圧ＶＳ２はゼロボルトに安定化される。本発明はまた、電圧ＶＳ２がゼロボルト以外に安定化される実施例に関する。差動増幅器３の入力ｅ（＋）は回路のアースには接続されず、弾圧ＶＳ２が安定化されねばならない値を有する電圧ソースに接続される。
【００４０】
図５は、図３及び図４に示される回路に共通な改善点を表わす。
この改善点によれば、抵抗器Ｒｇの第１の端子と、コンデンサＣｇの第１の端子とはトランジスタＴ３及びＴ４のエミッタには接続されていない。
抵抗器Ｒｇの第１の端子、従ってコンデンサＣｇの第１の端子は、一方では、その第２の端子が回路のアースに接続されている抵抗器Ｒ６の第２の端子に接続され、他方では、２つのダイオードＤ３及びＤ４の陽極及び陰極に接続されており、夫々の陽極及び陰極は互いに接続され、それ自体がトランジスタＴ３及びＴ４のベースに接続されている差動増幅器３の出力に接続されている。
【００４１】
抵抗器Ｒ６は抵抗器Ｒ５（図５に図示せず）と略等しい値を有する。ダイオードＤ３及びＤ４は２つのトランジスタＴ３及びＴ４（図５に図示せず）の伝導閾値を補償することを可能にする。
全ての素子Ｒ１，Ｒ２，Ｒ３，Ｒ４，Ｒ５，Ｄ１，Ｄ２，Ｔ１，Ｔ２，Ｔ３，Ｔ４，Ａ２は単一のモノリシック集積回路部品の上に結合されるよう製造されうる。
【００４２】
図３及び図４に示される本発明の実施例によれば、単一のモノリシック集積回路部品は３つの接触、即ち増幅器Ａ２の入力と、トランジスタＴ３及びＴ４の共通のベースと、トランジスタＴ３及びＴ４の共通のエミッタとを有さねばならない。
有利なことに、図５に示される改善点によれば、単一のモノリシック集積回路部品はここでは２つの接触、即ち、増幅器Ａ２の入力とトランジスタＴ３及びＴ４の共通のベースとのみを有さねばならない。
【００４３】
【発明の効果】
本発明の１つの利点は、ＪＦＥＴ又はＭＯＳＦＥＴトランジスタを使用する必要が無いことである。
【図面の簡単な説明】
【図１】従来の技術によるビデオ信号の直流成分を復元する回路を系統的に示す図である。
【図２】ビデオ信号の直流成分を復元する回路に適用される、本発明による増幅回路を系統的に示す図である。
【図３】図２の回路を詳細に示す図である。
【図４】電圧安定回路に適用される、本発明による増幅器の詳細図を示す図である。
【図５】図３及び図４に図示される回路に共通な部分の改善点を示す図である。
【符号の説明】
１  電流発生器
２  装置
３  差動増幅器
【図１】
0004132157.tif 000003
【図２】
0004132157.tif 000004
【図３】
0004132157.tif 000005
【図４】
0004132157.tif 000006
【図５】
0004132157.tif 000007